(57)【要約】【課題】紙容器を複数段積み重ねても、下段側紙容器側が湯気抜きの機能を損なわれることのない食品包装用紙容器を提供する。【解決手段】前後左右の側壁２，３，４，４、底板５及び蓋板６を有する一枚の紙製ブランクＡを折り曲げ、容器本体部７と蓋部８とを形成してなる食品包装用紙容器において、容器本体部７の所要の側壁３と蓋部８の蓋板６とのコーナー部に湯気抜き９を設ける。【選択図】図１
2009179333.tif 000002
【特許請求の範囲】
【請求項１】
前後左右の側壁、底板及び蓋板を有する一枚の紙製ブランクを折り曲げて、容器本体部と蓋部とを形成してなる食品包装用紙容器において、容器本体の所要の側壁と蓋部の蓋板とのコーナー部に一つ又は複数の湯気抜きを設けてなることを特徴とする食品包装用紙容器。
【請求項２】
湯気抜きは、容器本体の所要の側壁とこの側壁から一体に延びる蓋部の蓋板とのコーナー部に所要の側壁と蓋板との間の折り線と直交する方向の一対の平行な切り込みを入れ、両切り込み間に介在する部分を内側へ凹ませることによって形成されることを特徴とする請求項１に記載の食品包装用紙容器。
【請求項３】
前後左右の側壁、底板及び蓋板を有する一枚の紙製ブランクを折り曲げて、容器本体部と蓋部とを形成してなる食品包装用紙容器において、容器本体の所要の側壁とこの側壁から一体に延びる蓋部の蓋板とのコーナー部に前記側壁と蓋板との間の折り線と直交する方向の一対の平行な切り込みを一箇所又は複数箇所に入れ、包装する食品が湯気の出るものである時は両切り込み間に介在する部分を内側へ凹ませて湯気抜きを形成し、湯気の出ない食品の時は両切り込み間の部分を凹ませないでそのままにしておくことを特徴とする食品包装用紙容器。
【請求項４】
容器本体部は、断面形状が逆台形を成すように形成されていることを特徴とする請求項１〜３の何れかに記載の食品包装用紙容器。
【請求項５】
容器本体部は、断面形状が長方形を成すように形成されていることを特徴とする請求項１〜３の何れかに記載の食品包装用紙容器。
【発明の詳細な説明】
【技術分野】
【０００１】
本発明は、食品包装用の紙容器に関し、特に、たこ焼きやたい焼きなど、出来立ての熱々の食品を包装するのに好適な食品包装用紙容器に関する。
【背景技術】
【０００２】
たこ焼きやたい焼きなどの食品を包装する紙容器として、特許公報などの公知文献を具体的に挙げることはできないが、現在使用されている食品包装用紙容器としては、前後左右の側壁、底板及び蓋板を有する一枚の紙製ブランク（所定の形状に打ち抜いた空白紙）を折り曲げて、容器本体部と蓋部を形成してなるものが知られている。しかして、この紙容器には、たこ焼き屋やたい焼き屋などにおいて出来立て熱々のたこ焼きやたい焼きなどの食品を顧客の持ち帰り用として紙容器に収容する場合、紙容器内の食品から出る湯気でその食品自体が蒸れないように蓋部の中央部に湯気抜き用の孔が設けられている。
【発明の開示】
【発明が解決しようとする課題】
【０００３】
上記従来の紙容器では、湯気抜き孔が蓋部の中央部に設けてあることから、たこ焼きやたい焼きなどの熱々の食品を容れた紙容器を複数段積み重ねた時に、下段側紙容器では蓋部の湯気抜き孔が、その上段側紙容器の底板で塞がれてしまって、湯気抜きの役割を果たすことができない、という問題があった。
【０００４】
本発明は、上記の事情に鑑み、紙容器を複数段積み重ねても、下段側紙容器側が湯気抜きの機能を損なわれることのない食品包装用紙容器を提供することを目的としている。
【課題を解決するための手段】
【０００５】
上記課題を解決するための手段を、後述する実施形態の参照符号を付して説明すると、請求項１に係る発明は、前後左右の側壁２，３，４，４、底板５及び蓋板６を有する一枚の紙製ブランクＡ，Ｂを折り曲げて、容器本体部７と蓋部８とを形成してなる食品包装用紙容器において、容器本体部７の所要の側壁３と蓋部８の蓋板６とのコーナー部に一つ又は複数の湯気抜き９を設けてなることを特徴とする。
【０００６】
請求項２は、請求項１に記載の食品包装用紙容器において、湯気抜き９は、容器本体７の所要の側壁３とこの側壁３から一体に延びる蓋部８の蓋板６とのコーナー部に所要の側壁３と蓋板６との間の折り線ｇと直交する方向の一対の平行な切り込み１０，１０を入れ、両切り込み１０，１０間に介在する部分１８を内側へ凹ませることによって形成されることを特徴とする。
【０００７】
請求項３に係る発明は、前後左右の側壁２，３，４，４、底板５及び蓋板６を有する一枚の紙製ブランクＡ，Ｂを折り曲げて、容器本体部７と蓋部８とを形成してなる食品包装用紙容器において、容器本体７の所要の側壁３とこの側壁３から一体に延びる蓋部８の蓋板６とのコーナー部に前記側壁３と蓋板６との間の折り線ｇと直交する方向の一対の平行な切り込み１０，１０を一箇所又は複数箇所に入れ、包装する食品が湯気の出るものである時は両切り込み１０，１０間に介在する部分１８を内側へ凹ませて湯気抜き９を形成し、湯気の出ない食品の時は両切り込み１０，１０間の部分１８を凹ませないでそのままにしておくことを特徴とする。
【０００８】
請求項４は、請求項１〜３の何れかに記載の食品包装用紙容器において、容器本体部７は、断面形状が逆台形を成すように形成されていることを特徴とする。
【０００９】
請求項５は、請求項１〜３の何れかに記載の食品包装用紙容器において、容器本体部７は、断面形状が長方形を成すように形成されていることを特徴とする。
【発明の効果】
【００１０】
上記解決手段による発明の効果を、後述する実施形態の参照符号を付して説明すると、請求項１に係る発明によれば、紙容器１の湯気抜き９が、容器本体部７の側壁３と蓋部８の蓋板６とのコーナー部に設けられているから、紙容器１，１１を複数段積み重ねても、下段側紙容器１の湯気抜き９が上段側紙容器１の底板によって塞がれることがなくなり、紙容器１内に収容された出来立て熱々の食品Ｔから出る湯気Ｖを湯気抜き９から外部へ抜け出させることができる。
【００１１】
請求項２に係る発明によれば、湯気抜き９は、側壁３とこの側壁３から一体に延びる蓋部８の蓋板６とのコーナー部に、前記側壁３と蓋板６との間の折り線ｇと直交する方向の一対の平行な切り込み１０，１０を入れ、両切り込み１０，１０間に介在する部分を内側へ凹ませることにより形成するようになっているから、上記コーナー部に一対の平行な切り込み１０，１０を入れて、両切り込み１０，１０間に介在する部分１８を内側へ凹ませるだけで、湯気抜き９を簡単容易に形成できると共に、仮にゴミなどが湯気抜き９の切り込み１０，１０間に入るようなことがあっても、切り込み１０，１０間の凹んだ部分１８で受け止められるため、そのゴミなどが容器本体部７内の食品に直接付着することがなく、衛生的である。
【００１２】
請求項３に係る発明によれば、前後左右の側壁２，３，４，４、底板５及び蓋板６を有する一枚の紙製ブランクＡ，Ｂを折り曲げて、容器本体部７と蓋部８とを形成してなる食品包装用紙容器において、容器本体７の所要の側壁３とこの側壁３から一体に延びる蓋部８の蓋板６とのコーナー部に前記側壁３と蓋板６との間の折り線ｇと直交する方向の一対の平行な切り込み１０，１０を入れてあるから、包装する食品が湯気の出るものである時は両切り込み１０，１０間に介在する部分１８を内側へ凹ませて湯気抜き９を形成することにより、その食品Ｔから出る湯気Ｖを湯気抜き９から外部へ抜け出させることができ、また湯気の出ない食品を包装する時は両切り込み１０，１０間の部分１８を凹ませないでそのままにしておくことにより、容器表面に凹み部がなくなるため、外観上の体裁、見栄えが良い。
【００１３】
請求項４に係る発明によれば、容器本体部７の断面形状が逆台形を成している場合は、紙容器を複数段積み重ねた時に、上段側容器の底板５の幅が下段側容器の蓋板６の幅より狭くなることから、下段側紙容器の湯気抜き９の蓋板６側部分が上段側紙容器の底板５で塞がれることがなく、食品Ｔから出る湯気Ｖを湯気抜き９から有効に排出させることができる。
【００１４】
請求項５に係る発明によれば、容器本体部７の断面形状が長方形を成している場合は、紙容器を積み重ねた時に、下段側紙容器の湯気抜き９の蓋板６側部分が上段側紙容器の底板５で塞がれるけれども、同湯気抜き９の側壁３側部分はそのまま開口状態にあるため、紙容器内の食品Ｔから出る湯気を外部へ十分に排出させることができる。
【発明を実施するための最良の形態】
【００１５】
以下に本発明の好適な一実施形態を図面に基づいて説明すると、図１の(a) は本発明に係る食品包装用紙容器１を示す斜視図、(b) は湯気抜き部分を含む紙容器１の断面図であり、図２は同紙容器１の展開図、即ちブランクＡの平面図であり、図３は同紙容器１の積み重ね使用状態を示す断面図である。
【００１６】
ここに示す紙容器１は、図２に示すように前後左右の側壁２，３，４，４、底板５及び蓋板６を有する所定形状に打ち抜き形成された一枚の紙製ブランクＡを適宜に折り曲げて、図１に示すように、断面形状が逆台形状の容器本体部７と蓋部８とを形成すると共に、容器本体部７の後側壁３と蓋部８の蓋板６とのコーナー部に例えば二つの湯気抜き９を設けたものである。
【００１７】
上記紙容器１の構造につき更に詳しく説明すれば、図２を参照して、ブランクＡには、長方形の底板５の周囲に、折り線ａ，ｂ，ｃ，ｃを介して逆台形状の前後側壁２，３及び左右側壁４，４を有し、左右各側壁４と前側壁２との対向端縁部間に三角形の連結片１２，１３を形成すると共に折れ線ｄ，ｆ，ｈを設け、そして左右各側壁４と後側壁３との対向端縁部間に三角形の連結片１４，１５を形成すると共に折れ線ｅ，ｆ，ｈを設け、また左右各側壁４の上辺側に折り線ｉを介してフラップ１６を設け、更に後側壁３の上辺側には折り線ｇを介して蓋板６を連設し、この蓋板６の先端側に折り線ｊを介してフラップ１７を設け、そして本発明の特徴とする湯気抜き９を設けるために、後側壁３と蓋板６との境界線である折り線ｇを挟んでその両側にわたるように折り線ｇと直交する一対の平行な切り込み１０，１０を例えば２箇所に入れると共に、各一対の切り込み１０，１０の両端部間に夫々切り込み１０の方向と直交する折り線ｎ，ｍを設けている。
【００１８】
上記ブランクＡを折り曲げて紙容器１を形成するには、前後左右の側壁２，３，４，４を底板５との境界線である折り線ａ，ｂ，ｃ，ｃのところで夫々折り曲げて底板５の周囲から立ち上げると共に、各三角形の連結片１２，１３，１４，１５を折り線ｄ，ｆ，ｈ及びｅ，ｆ，ｈのところで折り曲げて外側へ突出するように折り畳み、この折り畳み三角形状連結片１２，１３，１４，１５を左右側壁４，４の外側面両端部に接着剤で接着することによって、断面形状が逆台形状の容器本体部７を形成し、また左右各側壁４の左右各側壁４のフラップ１６を内側へ折り曲げ、そして蓋板６と容器本体部７の後側壁３との境界線である折り線ｇのところで折り曲げながら、各一対の切り込み１０，１０間に介在する部分１８を内側へ折り曲げて凹ませることにより、図１の(a) 及び(b) に示すように後側壁３と蓋板６とのコーナー部に通気可能な湯気抜き９を形成する。蓋部８のフラップ１７も折り線ｊに沿って下向きに折り曲げる。なお、各一対の切り込み１０，１０には夫々の両端部間に切り込み１０の方向と直交する折り線ｎ，ｍを設けたことにより、両切り込み１０，１０間の介在部分１８を的確に凹ませることができる。
【００１９】
図３は上記のように構成される食品包装用紙容器１の一使用例を示すもので、紙容器１内に出来立ての熱々ほやほやのたい焼きＴを収納したものを例えば３段に積み重ねた状態を示している。この図３から分かるように、各紙容器１の湯気抜き９は、容器本体部７の後側壁３と蓋部８の蓋板６とのコーナー部に設けられているから、下段側紙容器１の粗湯気き９が上段側紙容器１の底板によって塞がれることはなく、各紙容器１内のたい焼きＴから出る湯気湯気Ｖを湯気抜き９から外部へ十分に抜け出させることができる。従って、紙容器１内のたい焼きＴが蒸れて多湿状態となって食感を悪くするような不都合が解消される。
【００２０】
また紙容器１は、容器本体部７の前後側壁２，３を横断する断面形状及び左右側壁４，４を横断する断面形状が何れも逆台形状であって、図３から分かるように、底板５の幅が蓋板６の幅より狭くなっていることから、下段側紙容器１の湯気抜き９の上面側（蓋板６側部分）が上段側紙容器１の底板によって塞がれることがなく、従って湯気抜き９の上面側と側面側（側壁３側部分）が共に開口状態となって、たい焼きＴから発生する湯気Ｖを湯気抜き９から有効に排出させることができる。
【００２１】
また、各紙容器１の湯気抜き９は、容器本体部７の側壁３とこの側壁３から一体に延びる蓋部８の蓋板６とのコ ーナー部にわたって一対の平行な切り込み１０，１０を入れ、両切り込み１０，１０間に介在する部分１８を内側へ折り曲げて凹ませることにより形成されるから、容器本体部７内にたい焼きやたこ焼き等の食品を収納して持ち運びする時に仮にゴミなどが湯気抜き９の切り込み１０，１０間に入るようなことがあっても、内側へ折り曲げられた切り込み１０，１０間の介在部分１８で受け止められるため、その塵等が容器本体部７内の食品に直接付着するようなことがなく、衛生的である。
【００２２】
図４の(a) は本発明に係る他の食品包装用紙容器１１を示す斜視図、(b) は湯気抜き部分を含む紙容器１１の断面図であり、図５は同紙容器１１の展開図、即ちブランクＢの平面図である。ここに示す紙容器１１は、図５に示すように前後左右の側壁２，３，４，４、底板５及び蓋板６を有する所定形状に打ち抜き形成された一枚の紙製ブランクＢを適宜に折り曲げて、図４に示すように、断面形状が長方形の容器本体部７と蓋部８とを形成すると共に、容器本体部７の後側壁３と蓋部８の蓋板６とのコーナー部に例えば三つの湯気抜き９を設けたものである。
【００２３】
この紙容器１１の構造につき更に詳しく説明すれば、図５を参照して、ブランクＢは、横方向に連設された前後左右の側壁２，３，４，４の夫々下端縁側に夫々折り線ａ，ｂ，ｃ，ｃを介して底板５の分割底板部５ａ，５ｂ，５ｃ，５ｃを形成すると共に、分割底板部５ａ，５ｂには夫々接合片部５ａｏ，５ｂｏを付設し、各側壁４の上端縁に折り線ｉを介してフラップ１６を形成し、そして湯気抜き９を設けるために、後側壁３と蓋板６との境界線である折り線ｇを挟んでその両側にわたるように一対の平行な切り込み１０，１０を例えば３箇所に入れると共に、各一対の切り込み１０，１０の両端部間に夫々切り込み方向と直交する折り線ｎ，ｍを設けている。
【００２４】
このブランクＢを折り曲げて紙容器１１を形成するには、前後左右の側壁２，３，４，４を折り線ｂ，ｄ，ｆに沿って箱状に折り曲げ、分割底板部５ａ，５ｂ，５ｃ，５ｃを折り線ａ，ｂ，ｃ，ｃに沿って折り曲げ、これら分割底板部５ａ，５ｂ，５ｃ， ５ｃを互いに部分的に重ね合わせることにより底板５を形成し、側壁３のフラップ１５をその折り線ｈに沿って折り曲げて反対側の側壁４の内側端部に接着剤で接着すると共に、分割底板部５ａ，５ｂの接合片部５ａｏ，５ｂｏを夫々分割底板部５ｃ，５ｃに対し接着剤で接着することによって、容器本体部７を形成し、そして蓋板６を後側壁３との境界線である折り線ｇに沿って折り曲げながら、各一対の切り込み１０，１０間に介在する部分１８を、折り線ｇのところから内側へ折り曲げて凹ませることによって、図４の(a) 及び(b) に示すように後側壁３と蓋板６とのコーナー部に通気可能な湯気抜き９を形成し、そしてまた蓋部８のフラップ１７も折り線ｊに沿って下向きに折り曲げることにより、紙容器１１の組み立てを終了する。
【００２５】
こうして形成される紙容器１１の湯気抜き９は、容器本体部７の後側壁３と蓋部８の蓋板６とのコーナー部に設けられているから、紙容器１を積み重ねた時には、図４の(b) に示すように上段側紙容器１１の容器本体７の底板５によって各湯気抜き９の蓋板６側部分が塞がれる状態となるけれども、各湯気抜き９の側壁３側部分が開口しているため、紙容器１内のたい焼きＴ等食品から出る湯気を外部へ十分排出させることができる。
【００２６】
以上説明した実施形態の湯気抜き９は、容器本体７の後側壁３とこの後側壁３から一体に延びる蓋部８の蓋板６とのコーナー部に、前記側壁３と蓋板６との間の折り線ｇと直交する方向の一対の平行な切り込み１０，１０を入れ、両切り込み１０，１０間に介在する部分を内側へ折り曲げて凹ませることによって形成されるようになっているが、本発明に係る湯気抜きは、これに限るものではなく、容器本体７の前後左右側壁２，３，４，４の何れかの側壁と、蓋部８の蓋板６とのコーナー部に形成されるものであれば、どのようなものでもよい。
【００２７】
但し、この実施形態に示す構造の湯気抜き９であれば、側壁３と蓋板６との間の折り線ｇと直交する方向の一対の平行な切り込み１０，１０を入れて、両切り込み１０，１０間に介在する部分を内側へ折り曲げて凹ませるだけでよいから、その製作が簡単且つ容易となり、また仮にゴミなどが湯気抜き９の切り込み１０，１０間に入るようなことがあっても、内側へ折り曲げられた切り込み１０，１０間の介在部分１８で受け止められるため、そのゴミなどが容器本体部７内の食品に直接付着することがなく、衛生的である。
【００２８】
図６は図４に示す食品包装用紙容器１１と同じ構造であるが、必要な時に湯気抜き９を形成するようにした食品包装用紙容器２１を示す斜視図である。即ち、図５に示すように前後左右の側壁２，３，４，４、底板５及び蓋板６を有する所定形状に打ち抜き形成された一枚の紙製ブランクＢを適宜に折り曲げて、図６の(a) に示すように、断面形状が長方形の容器本体部７と蓋部８とを形成すると共に、容器本体部７の後側壁３と蓋部８の蓋板６とのコーナー部には後側壁３と蓋板６との境界線である折り線ｇを挟んでその両側にわたるように一対の平行な切り込み１０，１０を３箇所に入れると共に、各一対の切り込み１０，１０の両端部間に夫々切り込み方向と直交する折り線ｎ，ｍを設けている。
【００２９】
しかして、容器本体部７内に収容して包装する食品が出来立て熱々のたい焼きなどのように湯気の出る食品である時は、図６の(b) の仮想線で示すように両切り込み１０，１０間に介在する部分１８を内側へ凹ませて、湯気抜き９（図４の(a) ，(b) 参照）を形成すればよいし、包装する食品が例えばショートケーキのように湯気の出ない食品である場合には両切り込み１０，１０間の部分１８を凹ませないでそのままにしておけばよい。このように湯気の出ない食品の場合に両切り込み１０，１０間の部分１８を凹ませることなくそのままにしておくことにより、容器１１の表面に凹み部がなくなるため外観上の体裁、見栄えが良くなる。
【図面の簡単な説明】
【００３０】
【図１】図１の(a) は本発明に係る食品包装用紙容器を示す斜視図、(b) は湯気抜き部分を含む紙容器の断面図である。
【図２】同紙容器の展開図である。
【図３】同紙容器の積み重ね使用状態を示す断面図である。
【図４】(a) は本発明に係る他の食品包装用紙容器を示す斜視図、(b) は湯気抜き部分を含む紙容器を上下に重ねた状態での断面図である。
【図５】同紙容器の展開図である。
【図６】(a) は本発明に係る更に他の食品包装用紙容器を示す斜視図、(b) は(a) のＸ−Ｘ線拡大断面図である。
【符号の説明】
【００３１】
Ａ，Ｂ            ブランク
１，１１，２１    食品包装用紙容器
２，３，４        側壁
５                底板
６                蓋部
７                容器本体部
８                蓋部
９                湯気抜き
１０              切り込み
ａ〜Ｊ            折り線
【図１】
2009179333.tif 000003
【図２】
2009179333.tif 000004
【図３】
2009179333.tif 000005
【図４】
2009179333.tif 000006
【図５】
2009179333.tif 000007
【図６】
2009179333.tif 000008